【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
セルロース繊維を供給するステップ；
少なくとも１種の充填剤および／または顔料を供給するステップ；
セルロース繊維と少なくとも１種の充填剤および／または顔料とを配合するステップ；
少なくとも１種の充填剤および／または顔料の存在下で、繊維が少なくとも部分的に一次フィブリルに微細化され、ショッパーリーグラー度が少なくとも４°ＳＲ増加するまでセルロース繊維をフィブリル化するステップ
を特徴とする、ナノフィブリルセルロース懸濁液の製造方法。
【請求項２】
セルロース繊維が、ユーカリパルプ、トウヒパルプ、マツパルプ、ブナパルプ、麻パルプ、綿パルプ、およびこれらの混合物からなる群から選択されるパルプに含有されるものであることを特徴とする、請求項１に記載の方法。
【請求項３】
セルロース繊維が、クラフトパルプに含有されるものであることを特徴とする、請求項１または２に記載の方法。
【請求項４】
クラフトパルプが漂白長繊維クラフトパルプである、請求項３に記載の方法。
【請求項５】
セルロース繊維が、０．２から３５重量％の固形分含有量を有する懸濁液の形態で供給されることを特徴とする、請求項１から４のいずれか一項に記載の方法。
【請求項６】
固形分含有量が０．２５から１０重量％である、請求項５に記載の方法。
【請求項７】
固形分含有量が１から５重量％である、請求項５に記載の方法。
【請求項８】
固形分含有量が２から４．５重量％である、請求項５に記載の方法。
【請求項９】
充填剤および／または顔料が、沈降炭酸カルシウム；天然重質炭酸カルシウム；ドロマイト；タルク；ベントナイト；クレー；マグネサイト；サテンホワイト；セピオライト；ハント石；珪藻土；シリケート；およびこれらの混合物からなる群から選択されることを特徴とする、請求項１から８のいずれか一項に記載の方法。
【請求項１０】
充填剤および／または顔料が、沈降炭酸カルシウムおよび天然重質炭酸カルシウムから選択されることを特徴とする、請求項９に記載の方法。
【請求項１１】
沈降炭酸カルシウムが、バテライト、カルサイトおよびアラゴナイト結晶構造を有するものからなる群から選択される、請求項１０に記載の方法。
【請求項１２】
天然重質炭酸カルシウムが、大理石、石灰石、白亜およびこれらの混合物からなる群から選択されることを特徴とする、請求項１０に記載の方法。
【請求項１３】
沈降炭酸カルシウムが、超微細で離散した、角柱形状、偏三角形状または菱面体形状の沈降炭酸カルシウムであることを特徴とする、請求項１０または１１に記載の方法。
【請求項１４】
充填剤および／または顔料が、０．５から１５μｍの重量メジアン粒径を有することを特徴とする、請求項１から１３のいずれか一項に記載の方法。
【請求項１５】
充填剤および／または顔料が、０．７から１０μｍの重量メジアン粒径を有する、請求項１４に記載の方法。
【請求項１６】
充填剤および／または顔料が、１から５μｍの重量メジアン粒径を有する、請求項１４に記載の方法。
【請求項１７】
充填剤および／または顔料が、１．１から２μｍの重量メジアン粒径を有する、請求項１４に記載の方法。
【請求項１８】
充填剤および／または顔料が、アクリル酸、メタクリル酸、マレイン酸、フマル酸、イタコン酸、アクリルアミドまたはこれらの混合物に基づくポリカルボン酸塩のホモポリマーまたはコポリマー；アルカリポリリン酸塩、ホスホン酸、クエン酸および酒石酸ならびにこれらの塩；もしくはこれらの混合物からなる群から選択される分散剤を伴っていることを特徴とする、請求項１から１７のいずれか一項に記載の方法。
【請求項１９】
繊維と少なくとも１種の充填剤および／または顔料との配合が、１または数ステップで充填剤および／または顔料を繊維に添加することによって行われる、請求項１から１８のいずれか一項に記載の方法。
【請求項２０】
充填剤および／もしくは顔料が、前記フィブリル化ステップ（ｄ）の前または間に、全部または複数回に分けて添加されることを特徴とする、請求項１から１９のいずれか一項に記載の方法。
【請求項２１】
充填剤および／もしくは顔料が、前記フィブリル化ステップ（ｄ）の前に、全部または複数回に分けて添加されることを特徴とする、請求項２０に記載の方法。
【請求項２２】
フィブリル化の前に、セルロース繊維と少なくとも１種の充填剤および／または顔料との配合物のｐＨが、１０から１２のｐＨに調整されることを特徴とする、請求項１から２１のいずれか一項に記載の方法。
【請求項２３】
フィブリル化の後に、前記懸濁液中のｐＨが、７．５から９．５に再調整される、請求項１から２２のいずれか一項に記載の方法。
【請求項２４】
前記配合物が、フィブリル化の前に、２から１２時間保存されることを特徴とする、請求項１から２３のいずれか一項に記載の方法。
【請求項２５】
前記配合物が、フィブリル化の前に、３から１０時間保存される、請求項２４に記載の方法。
【請求項２６】
前記配合物が、フィブリル化の前に、４から８時間保存される、請求項２４に記載の方法。
【請求項２７】
銅（ＩＩ）エチレンジアミン、鉄−ナトリウム−酒石酸塩およびリチウム−塩素／ジメチルアセタミンから選択されるセルロース溶媒が、フィブリル化の前に、前記配合物に添加されることを特徴とする、請求項１から２６のいずれか一項に記載の方法。
【請求項２８】
乾燥重量基準で繊維対充填剤および／または顔料の重量比が、１：１０から１０：１であることを特徴とする、請求項１から２７のいずれか一項に記載の方法。
【請求項２９】
乾燥重量基準で繊維対充填剤および／または顔料の重量比が、１：６から６：１である、請求項２８に記載の方法。
【請求項３０】
乾燥重量基準で繊維対充填剤および／または顔料の重量比が、１：４から４：１である、請求項２８に記載の方法。
【請求項３１】
乾燥重量基準で繊維対充填剤および／または顔料の重量比が、１：２から２：１である、請求項２８に記載の方法。
【請求項３２】
それぞれ、パルプおよびＰＣＣの全乾燥重量に対して、７０重量％の漂白長繊維クラフトパルプが、３０重量％の超微細で離散した角柱形状のまたは菱面体形状のＰＣＣの存在下でフィブリル化されることを特徴とする、請求項１から３１のいずれか一項に記載の方法。
【請求項３３】
前記配合物が、ショッパーリーグラー度が少なくとも６°ＳＲ増加するまでフィブリル化されることを特徴とする、請求項１から３２のいずれか一項に記載の方法。
【請求項３４】
前記配合物が、ショッパーリーグラー度が少なくとも８°ＳＲ増加するまでフィブリル化される、請求項３３に記載の方法。
【請求項３５】
前記配合物が、ショッパーリーグラー度が少なくとも１０°ＳＲ増加するまでフィブリル化される、請求項３４に記載の方法。
【請求項３６】
前記配合物が、ショッパーリーグラー度が少なくとも１５°ＳＲ増加するまでフィブリル化される、請求項３３に記載の方法。
【請求項３７】
繊維ならびに充填剤および／または顔料の配合物が、≧５０°ＳＲの最終ショッパーリーグラー度が到達されるまでフィブリル化されることを特徴とする、請求項１から３６のいずれか一項に記載の方法。
【請求項３８】
６０°ＳＲの最終ショッパーリーグラー度に到達する、請求項３７に記載の方法。
【請求項３９】
７０°ＳＲの最終ショッパーリーグラー度に到達する、請求項３７に記載の方法。
【請求項４０】
８０°ＳＲの最終ショッパーリーグラー度に到達する、請求項３７に記載の方法。
【請求項４１】
フィブリル化装置における゜ＳＲ／通過回数の増加が、セルロース繊維が、顔料および／または充填剤の不存在下でフィブリル化される場合の゜ＳＲ／通過回数よりも、顔料および／または充填剤の存在下でより高いことを特徴とする、請求項１から４０のいずれか一項に記載の方法。
【請求項４２】
得られるナノフィブリルセルロースの懸濁液のブルックフィールド粘度が、充填剤および／または顔料の不存在下でフィブリル化されたナノフィブリルセルロースの懸濁液のブルックフィールド粘度よりも低いことを特徴とする、請求項１から４１のいずれか一項に記載の方法。
【請求項４３】
前記フィブリル化が、超微細摩擦粉砕機、精砕機、およびホモジナイザーからなる群から選択される装置で行われることを特徴とする、請求項１から４２のいずれか一項に記載の方法。
【請求項４４】
請求項１から４３のいずれか一項に記載の方法によって得られるナノフィブリルセルロース懸濁液。
【請求項４５】
紙製造および／または紙加工における、請求項４４に記載のナノフィブリルセルロース懸濁液の使用。
【請求項４６】
材料複合材、プラスチック、塗料、ゴム、コンクリート、セラミックス、接着剤、食品における、または創傷治癒用途における、請求項４４に記載のナノフィブリルセルロース懸濁液の使用。